(57)【要約】複数のパネル４０、易曲性ポリマー材料からなり、前面５５を有する本体部分５０、本体部分の前面を覆い、その上方及び下方エッジにフック８３、８４を有するクラッド８０、及び隣接するパネルの間の相対的な枢軸旋回運動を与えるように、隣接するパネルのフックに作動的に係合する本体部分のエッジにあるヒンジ部材５１、を含む巻上げ式セクション型扉２４。他の例として、複数のパネル２４０、その上方及び下方エッジで連結体２７０に作動的に係合する扉の前面を形成するパネルの化粧面２５０、化粧面に取り付けられ、化粧面を受けるエンドにあるスタイル２８０、及び隣接するパネルの連結体とスタイルとの間の相対的な枢軸旋回運動を与えるように、エンドスタイルに配置されたヒンジ組立体２９０、を含む巻上げ式セクション型パン扉２２４。
2004513274.tif 000002
【特許請求の範囲】
【請求項１】
巻上げ式のセクション型の扉であって、
相互に枢軸旋回可能に取り付けた複数の扉パネル、
を含み、
各々の前記パネルが、内部構造によって相互に間隔をあけた前面と後面とを有し、
前記内部構造が、前記前面と前記後面との間にカプセル包囲した複数の空間を形成し、
前記前面と前記後面との間に熱的遮断を与える、
ところの扉。
【請求項２】
前記内部構造が、前記前面及び前記後面内に配置される複数の間仕切りを含む、ところの請求項１の扉。
【請求項３】
前記間仕切りが、ハニカム構造を形成する、ところの請求項２の扉。
【請求項４】
前記間仕切りが、交差する水平面及び垂直面である、請求項２の扉。
【請求項５】
前記パネルが、易曲性のヒンジ部材によって相互に枢軸旋回可能に取り付けられる、ところの請求項１の扉。
【請求項６】
前記ヒンジが、前記パネルのエッジにあり、ループ形状を有する、ところの請求項５の扉。
【請求項７】
前記易曲性のヒンジ部材が、内側レッグと外側レッグとを有する二重ループを有し、
前記外側レッグが、前記内側レッグから間隔をあけられ且つ前記内側レッグと実質的に平行であり、
前記易曲性のヒンジ部材が、前記パネルの横方向の範囲全体に拡張する、
ところの請求項６の扉。
【請求項８】
前記易曲性の部材が、当該扉の幅全体に拡張する、ところの請求項６の扉。
【請求項９】
前記パネルの前記前面に形成されるリセスと、前記パネルにわたって適合する、前記パネルのエンドのエンドスタイルとをさらに含み、
前記エンドスタイルが、前記リセスの内部に着脱可能に受けられるタブを含む、
ところの請求項１の扉。
【請求項１０】
前フランジ、後フランジ、及び前記前フランジと前記後フランジとの間に伸びるエンドを含み、前記前面と前記後面とを受けるサイズの開口エンドを有するほぼＵ字形の部材を形成する、エンドスタイルをさらに含む、請求項１の扉。
【請求項１１】
前記後フランジが、前記パネルの高さいっぱいに張り出さず、隣接する複数の前記扉パネルの間の相対的な回転を可能にする、ところの請求項１０の扉。
【請求項１２】
前記エンドスタイルの前記エンドが、上部の丸みのある端部と、底部の丸みのあるシセスとを有し、これにより、前記複数の扉パネルの一つの前記上部の丸みのある端部が、前記複数の扉パネルの隣接する一つの前記低部の丸みのあるシセス内に枢軸旋回可能に相互に適合する、ところの請求項１０の扉。
【請求項１３】
前記エンドスタイルの前記エンドが、ローラ組立体を受けるのに適合される開口を有する、ところの請求項１０の扉。
【請求項１４】
前記ローラ組立体が、前記開口を通じて伸びるシャフトを含む、請求項１３の扉。
【請求項１５】
前記複数の扉パネルに枢軸旋回可能に連結するヒンジ、及び前記ヒンジ内に受けられる補強部材を含み、
前記補強部材が、前記ローラの前記シャフトを受ける、
ところの請求項１４の扉。
【請求項１６】
前記ローラ組立体が、前記シャフトにジャーナル軸受けしたホイールを含み、前記シャフトが、その軸方向の距離だけ伸びる環状の溝、及び前記シャフトの軸方向の移動を制限するように、前記溝に係合する前記補強部材のリブを含む、ところの請求項１５の扉。
【請求項１７】
前記パネルの前記前面を覆うクラッドをさらに含む請求項１の扉。
【請求項１８】
前記クラッドが、一対のフックによって前記パネルに着脱可能に取り付けられ、
前記第一のフックが、前記クラッドの上部から伸び、
前記第二のフックが、前記クラッドの低部から伸び、
前記パネルが、前記第一のフック及び前記第二のフックと相互に作用する易曲性のヒンジを有する、
ところの請求項１７の扉。
【請求項１９】
前記第一のフックと前記第二のフックが相互に係合し、前記易曲性のヒンジによって作動的な枢軸旋回関係に維持される、ところの請求項１８の扉。
【請求項２０】
前記易曲性のヒンジが、前記パネルの一つに一体的に形成され、前記クラッドによって、隣接する前記パネルと作動的なかん形に維持される、ところの請求項１８の扉。
【請求項２１】
ヒンジによって連結される複数のパネルを有するセクション型の扉であって、
前記ヒンジが、
隣接するセクションの間に伸びる易曲性の部材、
を含み、
前記易曲性の部材が、第一の軸と第二の軸とを定め、
前記セクションが、前記軸に関して枢軸旋回し、
前記軸のうちの少なくとも一つが、当該扉の移動中に移動可能であり、前記セクションの回転により生じる前記ヒンジ内のストレスが、前記第一及び第二の軸に関する枢軸旋回と、前記第一及び第二の軸のうちの少なくとも一つの移動とによって軽減される、
ところの扉。
【請求項２２】
前記ヒンジが、当該扉の全体的な横方向の幅に拡張する、ところの請求項２１のヒンジ。
【請求項２３】
閉位置と開位置との間で扉ローラを案内するための、対面する一対の誘導路を有するセクション型の扉であって、
前記誘導路内にライナーを有し、
当該扉が、
前記誘導路の内面に一致するように適合されるインサート部分、
前記インサート部分に取り付けられ、当該扉と前記誘導路との間を架橋して、外的な物の進入を防止するカバー部分、及び
前記カバー部分に取り付けられ、天候シールとして当該扉を少なくとも部分的に覆うように拡張するシール部分、
を含む扉。
【請求項２４】
前記シール部分が、相互に間隔をあけて対面する一対のフランジを含み、前記フランジが、当該扉のエンドを受けるように適合されるギャップを形成する、ところの請求項２３の扉。
【請求項２５】
前記フランジのうちの少なくとも一つが、当該扉の表面に接触する、ところの請求項２３の扉。
【請求項２６】
前記フランジのうちの一つが、係合のストップを有し、前記へ位位置に当該扉を位置する、ところの請求項２４の扉。
【請求項２７】
予めパッケージ化される巻上げ式のセクション型の扉であって、
頭上枠材で架橋される、間隔をあけた一対の誘導路枠材、
前記誘導路枠材に関連した一対の誘導路、
ヒンジ部材で枢軸旋回可能に連結した複数のパネルを有する扉、
前記誘導路に受けられる前記扉上のローラ組立体、
前記頭上枠材に取り付けられ、前記扉に作動的に係合するカウンタバラナスシステム、及び
前記扉に取り付けられ、前記カウンタバランスシステムと作動的に相互に連結され、前記誘導路に関して閉位置に前記扉を維持するように配置されるオペレータ、
を含む予めパッケージ化される扉。
【請求項２８】
前記オペレータが、作動位置とロック位置との間で枢軸旋回可能のモータを有し、
前記モータが、前記扉に隣接するロック位置にある、
ところの請求項２７の予めパッケージ化される扉。
【請求項２９】
巻上げ式のセクション型の扉に用いられるろ‐ラ組立体であって、
前記扉が、複数のセクションを有し、
前記セクションが、一対の誘導路の間に取り付けられ、
前記誘導路が、閉位置と開位置との間で前記扉を案内し、
当該ローラ組立体が、
一端で前記複数のセクションの上部セクションに枢軸旋回可能に取り付けられるアーム、及び
他端で前記アームに枢軸旋回可能に取り付けられるホイール、
を含み、
前記ホイールが、前記誘導路内に適合し、前記扉が前記閉位置にあるときの前記上部セクションに対する角度の位置から、前記扉が前記開位置に向けて移動するときの前記上部パネルと実質的に一直線に並んだ位置へと前記アームを枢軸旋回させる、
ところのローラ組立体。
【請求項３０】
前記アームが、前記上部パネルと実質的に一直線に並べられる前記位置へバイアスされる、ところの請求項２９のローラ組立体。
【請求項３１】
前記アームが、前記アームと前記上部セクションとの間に挿入されるスプリングによってバイアスされる、ところの請求項３０のローラ組立体。
【請求項３２】
前記アームが、単一の易曲性の材料からなる、ところの請求項３０のローラ組立体。
【請求項３３】
巻上げ式のセクション型の扉であって、
複数のパネル、
易曲性のポリマー材料からなり、前面を有する、前記パネルの本体部分、
前記本体部分の前記前面を覆い、その上方及び下方エッジにフックを有するクラッド、
隣接する前記パネルの前記フックに作動的に係合する前記本体部分のエッジにあるヒンジ部材であって、隣接する前記パネルの間に相対的な枢軸旋回運動を与える、ヒンジ部材、
を含むセクション型の扉。
【請求項３４】
前記ヒンジ部材が、前記易曲性のポリマー材料からなる、請求項３３のセクション型の扉。
【請求項３５】
前記クラッドと前記本体部分のエンドを覆うスタイルをさらに含む、請求項３３のセクション型の扉。
【請求項３６】
前記フックが、前記パネルの相対的な枢軸旋回運動のため、相互に係合する、請求項３３のセクション型の扉。
【請求項３７】
前記ヒンジ部材が、前記パネルの相対的な枢軸旋回運動のために相互に係合されるとき、前記フックを巻き取る、ところの請求項３６のセクション型の扉。
【請求項３８】
隣接する前記パネルの前記フックが、危険防止計上を与えるように、前記パネルの枢軸旋回運動中に、十分に近づく、ところの請求項３７のセクション型の扉。
【請求項３９】
巻上げ式のセクション型の扉であって、
複数のパネル、
当該扉の前面を形成し、その上方及び下方エッジに枢軸旋回開閉組立体を有する前記パネルの化粧面、
前記化粧面のエンドを受けるように適合される前記パネルのエンドにあるエンドスタイル、
隣接する前記パネルの間に相対的な枢軸旋回運動を与えるように、前記エンドスタイルに配置されるヒンジ組立体、
を含むセクション型の扉。
【請求項４０】
前記エンドスタイルの中間の前記化粧面上の一つ又はそれ以上の場所で前記枢軸旋回開閉組立体と作動的に相互に関係する連結体要素をさらに含む、請求項３９のセクション型の扉。
【請求項４１】
前記ヒンジ組立体が、隣接する前記パネルの間に第一の枢軸を定め、
前記枢軸旋回開閉組立体が、第二の枢軸を定め、
前記連結体要素が、前記第一の枢軸と同軸の前記第二の枢軸を維持するように作動する、
ところの請求項４０のセクション型の扉。
【請求項４２】
前記連結体要素が、前記枢軸旋回開閉組立体を巻き取る変形可能なクリップである、ところの請求項４０のセクション型の扉。
【請求項４３】
前記クリップが、一時的に変形可能の材料からなる、ところの請求項４２のセクション型の扉。
【請求項４４】
前記枢軸旋回開閉組立体が、前記パネルの上方及び可能エッジにあるフックであり、
前記クリップが、隣接する前記パネルの前記フックを包囲する二重ループを有する、
ところの請求項４２のセクション型の扉。
【請求項４５】
隣接する前記パネルの前記フックが、危険防止形状を与えるように、前記パネルの枢軸旋回運動中に、十分に近づく、ところの請求項４４のセクション型の扉。
【請求項４６】
前記フックが、前記パネルの相対的な枢軸旋回運動のため、相互に係合する、ところの請求項４４のセクション型の扉。
【請求項４７】
前記化粧面の前記前面の背後に与えられる断熱層をさらに含む、請求項３９のセクション型の扉。
【請求項４８】
前記断熱層が、発泡体材料及び裏当てを有する、ところの請求項４７のセクション型の扉。
【請求項４９】
前記断熱層が、前記パネルに端に機械的に保持される、ところの請求項４７のセクション型の扉。
【請求項５０】
前記断熱層が、上方及び下方エッジを有し、
前記上方及び下方エッジが、前記枢軸旋回開閉組立体によって保持され、前記エンドスタイルによって保持されるエンドエッジを有する、
ところの請求項４９のセクション型の扉。
【請求項５１】
前記エンドスタイルが、前記断熱層の前記エンドエッジに係合するフラップ付きの後フランジを有する、ところの請求項５０のセクション型の扉。
【請求項５２】
前記エンドスタイルが、前記化粧面の前記枢軸旋回開閉組立体と前記前面を受けるように適合されるほぼＵ字形の部材である、ところの請求項３９のセクション型の扉。
【請求項５３】
前記スタイルが、前面、後面、及び前記前面と前記後面に間隔をあけて連結する平面のエンドを有する、ところの請求項５２のセクション型の扉。
【請求項５４】
前記後面が、前記パネルの補強部材として作動する前記前面に向かったフラップを有する、ところの請求項５３のセクション型の扉。
【請求項５５】
前記ヒンジ組立体が、
前記エンドスタイルに形成される上方ヒンジピンレシーバ、
前記エンドスタイルに形成される下方ヒンジピンレシーバ、及び
前記複数のパネルのうちの一つの上方ヒンジピンレシーバを、前記複数のパネルの隣接するパネルの下方ヒンジピンレシーバに連結するローラ組立体、
を含む、
ところの請求項３９のセクション型の扉。
【請求項５６】
前記エンドスタイルが、平面のエンドを有し、
前記下方ヒンジピンレシーバが、前記エンドスタイルの前記平面のエンドのボアである、
ところの請求項５５のセクション型の扉。
【請求項５７】
前記エンドスタイルが、フランジを有し、
前記上方ヒンジピンレシーバが、前記エンドスタイルの前記フランジから突き出す円筒形のスリーブである、
ところの請求項５６のセクション型の扉。
【請求項５８】
前記ローラ組立体が、前記円筒形のスリーブと前記ボアに挿入可能のローラシャフトを有し、隣接する前記パネルの間の相対的な枢軸旋回運動のための枢軸として働く、ところの請求項５７のセクション型の扉。
【請求項５９】
前記ローラシャフトが、前記ボアと前記円筒形のスリーブに関する前記ローラシャフトの軸方向の移動を制限する、間隔をあけた環状のリブを有する、ところの請求項５８のセクション型の扉。
【請求項６０】
前記エンドスタイルの前記フランジが、前記ボア付近を中心とした弓形のフランジを有し、前記枢軸旋回開閉組立体に係合し、前記円筒形のスリーブと係合して枢軸旋回可能に配置前記枢軸旋回開閉組立体を維持する、ところの請求項５９のセクション型の扉。
【請求項６１】
巻上げ式のセクション型の扉に用いられる組合せローラ組立体及びケーブル固定デバイスであって、
扉パネル、
エンド面を有する前記扉パネル上のエンドスタイル、
前記エンドスタイルの前記エンド面にあるアパーチャ、
前記アパーチャに挿入されるローラシャフトを有するローラ組立体、及び
前記扉を作動し、前記ローラ組立体の前記シャフトを受けるためのケーブルを固定するために適合されるカラーを有するケーブルブラケット、
を含むローラ及びケーブル固定デバイス。
【請求項６２】
前記カラーが、前記扉の作動中にここから間隔をあけるように前記ローラシャフトの径よりも十分に大きい内径を有する、ところの請求項６１のローラ及びケーブル固定デバイス。
【請求項６３】
前記カラーが、前記扉を作動するための前記ケーブルを受けるように適合される溝を有する、ところの請求項６２のローラ及びケーブル固定デバイス。
【請求項６４】
前記ケーブルブラケットが、前記エンドスタイルに取り付けられる前記カラーに取り付けられる突出部を有する、ところの請求項６２のローラ及びケーブル固定デバイス。
【請求項６５】
巻上げ式のセクション型のパン扉であって、
複数のパネル、
当該扉の前面を形成し、その上方及び下方エッジに共同的に係合する開閉部を有する前記パネルの化粧面、
前記化粧面に取り付けられ、前記化粧面を受けるエンドにあるスタイル、
隣接する前記パネルの前記開閉部と前記スタイルとの間に相対的な枢軸旋回運動を与えるように、前記エンドスタイルに配置されるヒンジ組立体、
を含むパン扉。
【請求項６６】
前記共同的に係合する開閉部が、ほぼフック形状の部材である、ところの請求項６５のパン扉。
【請求項６７】
前記エンドスタイルの中間の場所で前記共同的に係合する開閉部を支持する連結体要素をさらに含む、請求項６６のパン扉。
【請求項６８】
前記連結体要素が、組み立て及び作動中に、前記開閉部と前記パネルを安定化させるように、前記フック状の部材を巻き取る、ところの請求項６７のパン扉。
【発明の詳細な説明】
【０００１】
技術分野
本発明は、巻上げ式セクション型扉に関するものである。特に、本発明は、易曲性のあるヒンジで動く金属製クラッド付きのプラスチック製のコア、又は断熱体をもった又はこれをもたないパン（ｐａｎ）扉を有する巻上げ式セクション型扉に関するものである。特に、本発明は、扉が非常に短い方向変更半径を通過できる一体的なヒンジ、金属製のクラッドの外面、及び内部断熱体を有し、カウンタバランスシステムとオペレータを予め組み立てて、パッケージ化できる巻上げ式セクション型扉に関するものである。
【０００２】
背景技術
建物や被牽引車（トレーラー）の扉として使用され、閉位置で垂直方向に位置し、開位置で頭上に入れられる様々な扉がある。
【０００３】
その共通的な様式の一つは、真直ぐな傾斜式の一枚の扉である。このタイプの扉には、普通、二つの様式がある。第一のタイプは、中央枢軸旋回式の扉であり、扉は、枠組に取り付けられ、扉の垂直方向の中央部付近の水平軸に関して旋回する。このような扉は、扉を開閉するために、扉の内側と外側の扉直近に空間を要する。扉の動きが、扉の側部及び低部に危険をもたらす可能性がある。第二のタイプの一枚の扉は、開位置と閉位置との間で扉を案内するために、水平な誘導路と垂直な誘導路を使用する。このような扉は、扉の外側付近にクリアランス空間を要さないが、扉を開閉させるために、扉の内側に十分なクリアランス空間を要する。このような扉には、枢軸旋回式の扉と同じ危険をもたらす可能性がある。これらタイプの扉は、建物で使用されてきたが、被牽引車の扉として適当ではなく、扉の開閉に必要な内側のクリアランス空間が、被牽引車の積載可能量を著しく減少させる。さらに、積荷が輸送中にずれると、扉が開かなくなることがある。
【０００４】
他の共通的な様式は、シート扉である。シート扉は、易曲性の扉パネルを有し、これら扉パネルは、開位置と閉位置との間で回転可能の案内ホイールを回って案内される。開位置にあるときは、扉の開口部の高さのクリアランスを最大にするために、易曲性の扉パネルは実質的に水平方向にある。このような扉は、易曲性のある板材からなり、そのエッジに補強材を要する。易曲性のある板材は、扉に十分な強度を与えるため、枢軸強化形状に形成されなければならず、また、扉の開閉の際に、易曲性の板を水平誘導路から垂直誘導路へ、及び垂直誘導路から水平誘導路へと移動させるため、大形の駆動ホイールを使用しなければならない。上部空間が増加し又は扉の開口部への扉の垂れ下がりが減少するが、このような扉は、その作動時に、破れ易くまた雑音をたてる。また、在来の方向変更半径を通じて板を動かすことができない場合、扉のいずれか一方の側部に大径の駆動ローラを使用する必要があり、これは、広い内部空間を使うことになる。駆動ローラの周りで板を曲げることは、板に不要のストレスを生じさせ、また、通常の風圧に耐えられない。
【０００５】
セクション型扉は、従来技術で既知のものである。しかし、セクション型扉に関わるものの一つは、扉のセクションの境界面や扉のエッジに沿って手や指を掛けてしまうことである。一体的に形成したセクションの境界面を有する危険防止型のセクション型扉が開発され、隙間に手や指を掛けることがなくなったが、このような扉は、依然、この機能を発揮させるため、付加的なハードウェアを必要とする。同様のハードウェアが、同じ機能を発揮させるため、在来のセクション型扉に付加され得る。扉のエッジに掛かることを防止するため、長手方向で出会うセクションが、危険防止型のセクション型扉と在来のセクション型扉に付加された。
【０００６】
他の不利点として、セクション型扉は、一般に、ヒンジと、扉の内部に取り付けられる他のハードウェアとを有する。被牽引車の扉として使用される場合、このハードウェアは、被牽引車内の積荷にダメージを与え、又は扉の移動を阻害し得る。この不利点を解消するための試行が、連続ヒンジを有する扉を設計することにより行われた。一般に、このようなヒンジは、ポリマー材料からなり、扉の一体的な構成成分であり得るか、又はセクションとセクションとの間に別々の構成成分として備えられる。このようなヒンジの設計が扉の背後を平らにできるが、ヒンジによって確立される枢軸点が固定され、これにより、ヒンジ内とヒンジの取付け領域にストレスが作り出される。
【０００７】
複数のスラット（ｓｌａｔ）又は金属製シートからなる回転式の扉も、固定した枢軸点を有するので、ヒンジに発生する同様のストレスを受ける。しかし、回転式の扉は、危険性を防止する点に利点がある。これは、ごく隣接した複数のスラットからなるからである。ただし、スラットの高さが低いので、回転式の扉の開口部を被覆するのに多数のスラットを必要とし、この扉はセクション型扉よりも重量があり、また高価となる。このような扉は、また、扉が開位置にあるときに扉を巻き上げて収納するために、広い上部空間を必要とする。多数のスラットは、また、このような扉の製造と組立てに要する時間を増大する。このような扉は、スラットを個々に長手方向に交差させなければならず、組立てが複雑化する。この交差は、また、スラット同士の間に力を伝達する相互連結になり、その結果、局所的な衝撃が多数の隣接するパネルにダメージを与えることになる。スラットが少ししの断熱しか与えないスチール製のシートからなることが多いのであるが、付加的なプラスチック製の断熱材料が及び断熱カバーがこのようなタイプの扉に付加される。理解されるように、プラスチック製の断熱材料の付加は、扉の重量と複雑性を増大させ、これにより、製造コストと扉の製造に要する時間とを増大する。さらに、このような回転式の扉の設計は、通常、固定した枢軸点を有し、ヒンジの領域のストレスを低減するための設備を何ももたない。
【０００８】
幾つかのセクション型扉は、扉のセクションを含む扉の構成成分にポリマー材料を使用する。一例として、扉が、工業用、商業用及び住宅用のガレージのような構造物で使用するため、ブロー成形したポリマー材料製のセクションからなる。他の例として、塩化ポリビニル製の前面側の表皮と非金属製の後面側の表皮とを有するポリウレタン製の剛性のコアを有する扉のパネルが提案されている。剛性のポリウレタン製のコアは、二つの表皮を使用して、パネルのセクションを剛性の軽量構造体にしている。これら既知の設計は、特に、二倍の車幅の扉のセクションを加工するために、非常に大きい高価な設備を必要とする。さらに、このような扉は、扉の内面付近の領域に、押出し成形したスタイル（ｓｔｉｌｅ）やヒンジのような在来のハードウェアを収容する。在来のセクション型扉と、これら扉との主な相違点は、ポリマー製のセクションを使用することである。
【０００９】
高さ１８〜２４インチのセクションを有するセクション型扉は、開位置と閉位置との間の方向変更半径を通り過ぎるとき、７８°までのセクションとセクションとの間の相対角移動を有する必要がある。これらセクションの角移動は、扉を移動し、ヒンジ及びヒンジ取付領域上にストレスをかけるために要する力を変える。９０°又はそれ異状までの連続的な移動を可能にするヒンジを達成するために、共に押出し成形した複数のポリマーを有するヒンジと同様に、多数の屈曲点を有するヒンジが、ヒンジ要素上のストレスを低減し得ることがわかった。押出し成形した熱可塑性のヒンジは、低温と同様、室内温度における屈曲サイクルに耐える能力を向上した。このヒンジは、ポリエステルエラストマーからなる易曲性の断面部分と、剛性又は半剛性の熱可塑性材料からなる共に押出し成形した部分とを含む。このタイプのヒンジ設計は、よりコストがかかり、またヒンジの加工に使用される別々のポリマーの適切な結合又はカプセル化を確実にするために、押出し加工中に注意を要する。
【００１０】
発明の開示
したがって、本発明の目的は、巻上げ式セクション型扉であって、扉の本体が、発泡断熱材料及び裏材なしで、断熱の範囲を与える押出し成形した波形のポリマーであり、扉の雑音を低減し、在来の金属製のシートの扉よりも静かに作動する、ところのセクション型扉を提供することである。本発明の他の目的は、上記のようなセクション型扉であって、波形のポリマーが、比較的高い強度を有し、軽量であり、ペイントを要さずにメンテナンス性が低く、扉を曲げずに展開及び縮小でき、比較的低コストで製造できる、ところのセクション型扉を提供することである。本発明のその他の目的は、上記のようなセクション型扉であって、扉は、扉の開口部の内的な妨害を最小にし、物体や扉にダメージを与える原因となる扉の内面付近にある物体上に突き当たらないような滑らかな内面を有する、ところのセクション型扉を提供することである。本発明のその他の目的は、上記のようなセクション型扉であって、ポリマーが、扉のセクションとセクションとの間に、移動可能の枢軸旋回ヒンジ機能を与える、ところのセクション型扉を提供することである。
【００１１】
本発明の他の目的は、波形のポリマーの本体を有する上記のようなセクション型扉であって、波形のポリマーの本体が、外部の金属製のクラッド（ｃｌａｄｄｉｎｇ）及び／又は管状のスチール製のインサートと連結され、特定の扉のサイズ及び仕様のため、十分な強度と剛性をもたらすことができる、ところのセクション型扉を提供することである。本発明のその他の目的は、上記のようなセクション型扉であって、エンドスタイル、外部の金属製のクラッド及び管状のスチール製のインサートが、定位置にスライド又はスナップし、これにより、扉の構成成分を相互に連結するための多量のファスナーや接着剤の使用をなくした、セクション型扉を提供することである。本発明のその他の目的は、上記のようなセクション型扉であって、セクション型扉に用いられる在来の誘導路形状で使用できるが、波形のポリマーの本体の実質的な図心に係合ローラを取り付けてもよく、これにより、移動可能の枢軸旋回ヒンジの構成で、扉が、通常の半径のほぼ半分の水平と垂直の誘導路部分の間の曲線状の方向変更半径を通過できる、ところのセクション型扉を提供することである。
【００１２】
本発明の他の目的は、扉のセクションとセクションとの間の連結個所に危険防止構造物を備えた上記のようなセクション型扉を提供することである。本発明のその他の目的は、扉のエンドに突き出したハードウェアを有さず、指を保護する要素が扉のエッジと、垂直な誘導路との間に設けられる、上記のようなセクション型扉を提供することである。本発明のその他の目的は、既知のカウンタバランスシステムとオペレータを使用でき、在来のロックシステムと窓を適応する、上記のようなセクション型扉を提供することである。本発明のその他の目的は、所望する場合、カウンタバランスシステムとモータ駆動式のオペレータを付けて完全に組み立てた状態で輸送するのに十分に軽量な上記のようなセクション型扉を提供することである。
【００１３】
本発明は、さらに、垂直方向に作動する扉を提供する。この扉は、相互に回転可能に取り付けた複数の扉のセクションを含み、各セクションは、内部区像体によって相互に間隔をあけられた前面と後面を有する。内部構造体は、熱破壊を与える前面と後面との間に複数のカプセル化空間を定める。
【００１４】
ヒンジによって連結される複数のパネルを有するセクション型扉である。ヒンジは、隣接するセクションの間に伸張する易曲性の部材を有する。この部材は、第一の軸と第二の軸とを定め、セクションは、これら軸に関して旋回する。これら軸は、扉の作動中に移動可能であり、セクションの回転によって生じるヒンジ内のストレスが、これら軸の移動と軸に関する移動によって軽減される。
【００１５】
対向する一対の誘導路を有するセクション型扉である。これら誘導路は、閉位置と開位置との間で扉を案内するためのものである。これら誘導路は、内面を有し、セクション型扉は、ポリマー製の部材とともにこれら誘導路内に受けられるインサートを有する。ポリマー製の部材は、第一の位置と、第二の位置とを有する。第一の位置は、誘導路の内面を定める。第二の位置は、指を有効に保護するため、少なくとも扉を部分的に被覆するように第一の位置から軸方向に伸びる。
【００１６】
開口部に関して開位置と閉位置との間を選択的に移動できる扉である。扉は、複数の長い波形の水平パネルを含む。これらパネルは、ヒンジ部材によって、隣接するパネルの上部エッジと低部エッジで枢軸旋回可能に連結される。ヒンジ部材は、第一の軸と、第二の軸とを定める。第一の軸と第二の軸は、相互に相対的に移動可能であり、隣接するパネルの枢動旋回移動によって生じたヒンジ部材内のストレスが、第一及び第二の軸に関するヒンジ部材の移動によって軽減される。
【００１７】
扉システムのクラッド部材である。クラッド部材は、上部エッジと低部エッジとを有するほぼ平坦な本体と、上部エッジから延びる第一のフックと、底部エッジから伸びる第二のフックとを含む。これらフックは、クラッド部材を扉に取り付けるように適合される。
【００１８】
扉システムのエンドスタイル（ｅｎｄ ｓｔｉｌｅ）である。エンドスタイルは、扉のセクションのエンドを係合するように適合される開端溝部材を有する。隣接するセクション上の溝部材は、相互に枢軸旋回関係にある。各部材は、前面と後面とを有し、後面は、これらの間に伸びるエンドによって前面から間隔をあけられ、これにより、スタイルは、セクションの側部を被覆し、セクションとともに移動する。
【００１９】
プレパッケージド（ｐｒｅ−ｐａｃｋａｇｅｄ）扉キットである。このプレパッケージド扉キットは：頭上枠材で架橋される一対の間隔をあけた堅枠；この堅枠に隣接する一対の第一の誘導路；ヒンジ部材で枢軸旋回可能に連結された複数の波形のポリマーパネルを有し、前記誘導路に受けられる扉；頭上枠材に取り付けられ、扉に作動的に係合するカウンタバランスシステムとオペレータ；扉にそれぞれ着脱可能に取り付けられる第一の誘導路に取り付けられるように適合される一対の第二の誘導路；及び扉に隣接して着脱可能に取り付けられる第二の誘導路に取り付けられるように適合されるバックバー、を有する。
【００２０】
上部セクションを含む複数のセクションを有する扉において、セクションが、一対の誘導路の間に取り付けられる。これら誘導路は、閉位置と開位置との間で扉を案内する。枢軸旋回ローラが、アームによって上部セクションに取り付けられる。アームは、一方のエンドで上部セクションに回転可能に取り付けられ、ホイールが、他方のエンドでアームに回転可能に取り付けられる。ホイールは、誘導路内にしっくりと適合し、アームは、扉が閉位置にあるときの上部セクションに関してほぼ垂直な位置から、扉が開位置に到達するときのほぼ平坦な位置へと枢軸旋回する。
【００２１】
本発明の目的は、断熱材有り又は無しで与えられ得る組立てパン（ｐａｎ）扉システムを変形物として提供することである。本発明のその他の目的は、在来の発泡体断熱材が、接着剤を使用する必要性なして、扉の構成成分によって機械的に保持される、上記のような断熱材付きセクション型パン扉を提供することである。本発明のその他の目的は、扉の開口の内的な妨害を最小にし、在来の誘導路を使用でき、著しく小さくなった半径を有する曲線方向変更誘導路部分を移動するが、ヒンジ又はヒンジ領域にストレスを与えない、セクション型パン扉を提供することである。本発明のその他の目的は、エンドスタイルにひんじが付けられ、エッジのパネルの横方向の範囲に伸びる枢軸旋回開閉組立体を有し、危険防止計上を与え、枢軸旋回開閉組立体の枢軸を安定化するように間隔をあけた連結体要素を有し得る、セクション型パン扉を提供することである。
【００２２】
本発明の他の目的は、指保護要素が扉エッジと垂直誘導路との間に与えられ得るように、エンドスタイルに突出しハードウェアを有さない、セクション型パン扉を提供することである。本発明の他の目的は、ローラ組立体を通じる耐風性のための緊張タイプのシステムに適合でき、扉の下方コーナーに組合せローラ組立体及びカウンタバランスケーブル固定デバイスを有する、セクション型パン扉を提供することである。本発明の他の目的は、カウンタバランスシステムとモータ駆動式のオペレータを装着した状態で完全に組み立てられたものを輸送するのに十分に軽量であり、比較的安価であり、高強度であり、迅速且つ容易に装着できる、セクション型パン扉を提供することである。
【００２３】
一般に、巻上げ式のセクション型扉の変形例が、複数のパネル、扉の前面を形成し、その上方及び下方エッジで連結体に共同的に係合するパネルの化粧面、化粧面のエンドを受け、化粧面に取り付けられるスタイル、及び隣接するパネルの連結体とスタイルとの間の相対的な枢軸旋回運動を与えるように、エンドスタイルに配置されたヒンジ組立体を含む。
【００２４】
詳細な説明
本発明に従った、上向きに動く金属クラッド付きのセクション型扉システムが図２に符号２０で示される。セクション型扉システム２０は、扉の周囲にわたる枠組２１を建物や被牽引車（トレーラ）に配置し、取り付けて、開閉移動するものである。枠組２１は、図１及び２に示すように、間隔をあけて配置した垂直な誘導路用の一対の枠材２２、２２を有する。これら枠材２２、２２は、被牽引車の床やベッド（図示せず）のようなサポート面に関して垂直方向上向きにそれぞれ平行に伸びている。これら垂直な誘導路枠材２２、２２は、間隔をあけて配置され、これらの最上部付近が、頭上枠材２３で連結され、これにより、逆Ｕ字形の枠組２１が形成され、これに、扉２４が取り付けられる。枠組２１は、補強、建物や車両への取付け、及び扉２４を支持し、制御する要素の取付けを容易にするため、金属、又は高強度で高剛性のある材料からなり得る。
【００２５】
頭上枠材２３には、カウンタバランスシステム２５が取り付けられ得る。カウンタバランスシステム２５は、扉２４と相互に作用して、当業者には既知の方法で、扉２４を容易に上下移動させるものである。本願の出願人が譲受人である米国特許第５４１９０１０号のカウンタバランスシステムが例示され、この米国特許の開示が３項文献として組み入れられるが、後述する扉システムの構造物に悪影響を及ぼさない限り、別のタイプの任意のカウンタバランスシステムが使用できることは理解される。
【００２６】
フラグアングル材（ｆｌａｇ ａｎｇｌｅ）２６、２６が、ローラ誘導路２７、２７を部分的に支持するために与えられる。ローラ誘導路２７、２７は、扉２４のいずれかの側に配置される。ローラ誘導路２７、２７の各々は、垂直な誘導路枠材２２、２２に形成される実質的に垂直な誘導路部分２８（図６を参照）、実質的に水平な誘導路部分２９、及びこれらの間に挿入される方向変更誘導路部分３０を含む。扉２４が、垂直な誘導路部分２８、２８に関連した図２に示す垂直方向の閉位置から、方向変更誘導路部分３０、３０を通じて、図２に示す水平な誘導路部分２９、２９に関連した水平方向の開位置へ移動する際に、ローラ誘導路２７、２７は、既知の方法で、扉２４を支持し、扉２４の移動を支配する。水平な誘導路部分２９、２９のエンドは、バックバー３１で連結され、支持される。バックバー３１は、扉システム２０を収容する構造物の天井又は壁面に直接的又は間接的に取り付けられる。バックバー３１は、扉システム２０が輸送用にパッケージ化されるとき、図２に示すように、垂直な誘導路部分２２、２２に取り付けられ得る。水平な誘導路部分２９、２９は、扉２０が輸送用にパッケージ化されるとき、図１に示すように、枠組２１に取り付けられ得る。さらに、カウンタバランスシステム２５は、図２に示すパッケージ化した輸送状態で、収容され、緊張され得る。
【００２７】
例示を目的として、８枚パネルのセクション型扉２４が図１及び２に示される。ここで、扉の開口部の高さやこれに関連する状態に従って、これ以上又は以下のパネルをこのタイプのセクション型扉に用いてもよいことがわかる。図示のように、扉２４は、第一又は最上部のパネル４１、第二のパネル４２、第三のパネル４３、第四のパネル４４、第五のパネル４５、第六のパネル４６、第七のパネル４７、及び第八又は最下部のパネル４８を含んだ複数のパネル又はセクション４０を有する。パネル４０の各々は、ほぼ同一の形状を有する。よって、一例として、単一のパネル（パネル４７）についてのみ、詳細に説明する。
【００２８】
図３に示すように、パネル４０の各々は、ヒンジ要素５１をもつ本体部分５０を有する。ヒンジ要素５１は、本体部分５０の上方のエッジに設けられる。本体部分５０は、ポリマー材料からなり、ほぼ連続する外面を有する。本体部分５０は、熱硬化性ポリマー、熱可塑性ポリマー又は他の適当な材料から押出し成形され得る。好適に、ポリマー材料は、ポリプロピレン樹脂と同様の曲げ係数を有し、扉の水平位置と垂直位置との間の方向変更半径を通過中の後述するヒンジ要素５１の角度的な曲げ（ａｎｇｕｌａｒ ｆｌｅｘｉｎｇ）が、ポリマー材料の曲げメモリを越えることなく、適応できる。ポリマー製の本体部分５０の好適な材料は、ホモポリマーポリプロピレンである。本体部分５０の高さが６インチ〜１８インチの範囲ｎあり得るが、この高さは、最適な半径の曲線状の方向変更誘導路部分３０、３０のため、好適に、約９インチ〜１２インチの範囲である。
【００２９】
本体部分５０は、好適に、その内部を助材で囲って補強したり、ハニカム状を形成したり、扉２４の表裏両面の間に空隙５３を与える間仕切り５２で分離し、補強される。空隙は、扉２４の表裏両面の間に空気を捕獲し、断熱的な遮断を与え、扉の表裏両面の間の熱伝達率を低減する。上記目的は、例えば、水平と垂直に交差して長方形又は正方形の空隙５３を形成し、そして本体部分５０の高さ又は厚さの少なくとも５０％の幅を有し、空隙５３の高さの１００％を越えない間仕切り５２を有する少なくとも０．７５インチの厚さの本体部分５０のような様々な内部構造に合致できるように決定されてきた。
【００３０】
上述したように、扉２４の外面は、前面５５と後面５５´とを含む。これら前面５５と後面５５´は、ほぼ連続し、リセスや所望の他の特徴的な面形状を有し得る。特徴的な面形状は、審美的なものであってもよいし、またロック、窓、補強部材又はローラを扉上又は扉内に取り付けるように機能的に使用されるものであってもよい。例えば、リセス５４は、スタイルを固定するために使用される部材を受けることができるように、扉２４の後面５５´に設けられ得る。
【００３１】
図３及び８に示すように、リセス５４は、扉セクション４０の後面５５´に形成され、エンドスタイル６０に形成されたタブ５６を受ける。タブ５６とシセス５４は、共同的に形成され、タブ５６は、リセス５４の内部に挿入されて受けられ、通常の作動状態下で、適所にエンドスタイル６０を保持するように働く。その開放エンド（図３）の断面をみると、リセス５４は、ほぼ内向きにくびれ、それからマッシュルームの傘のように突き出している。図示のように、リセス５４は、一対のショルダー５８、５８を含む対面する壁面５７によって形成される。それぞれのショルダー５７、５７は、開口部５４のネック５９を形成するように、内向き方向に先細っている。ランド６１が、ネック５９のショルダー５７から、壁面５７へと外向きに張り出している。壁面５７は、ランド６１に対して実質的に垂直に張り出し、扉セクション４０の内部のリブ６３に連結し、リセス５４を完成する。図示のように、これら構造の選択される表面（例えば、ショルダー５８、及び壁面５７と内部リブ５６との間の連結部）は、タブ５６の挿入を容易に行うため、丸みを付けられ得る。ランド６１は、好適に、直角に張り出し、タブを確実に保持し、その移動を防止する。
【００３２】
図８を参照する。タブ５６は、リセス５４の内部に適合するように与えられる。特に、タブ５６は、外向きに張り出したネック部分６４と、ネック部分６４から横方向外向きに張り出すように形成されたヘッド部分６５とで与えられる。ヘッド部分６５、６５のリーディングエッジ６７、６７は、挿入を容易に行えるように内向きに先細り、リブ６３に接触するフラット６６に続く。挿入時、ヘッド部分６５、６５が、壁面５７とランド６２に隣接するリセス５４の歪曲された開口部内に嵌め込まれる。単一のリセス５４が、スナップ式にタブ５６を挿入して受けるように形成されてもよいし、また図示のように、リセス５４が、溝状に軸方向に伸び、タブ５６がこの溝内に軸方向にスライド式に挿入されてもよいことがわかる。
【００３３】
さらに、セクション４０の外面５５は、その下方エンドと上方エンドに、隣接する扉セクション４０の間に伸張するヒンジ５１の部分と協力するように、リセス状ランド６８と丸状ショルダー６９がそれぞれ設けられ、一枚の扉２４を形成する。ヒンジ５１は、セクションとセクションとの間に取り付けた分離部材であってもよいし、またセクション４０のうちの一つと一体的に形成されてもよい。複数のヒンジ５１は、角扉セクション４０の幅に沿って間隔をあけられてもよいし、また図示のように、セクション２４の全幅を張り出してもよい。
【００３４】
図示のように、ヒンジ５１は、垂直方向の断面形状が比較的大径の変形可能な二重ループ７０からなる。図示のように、二重ループは、セクション４０の上方エンドの丸上ショルダー６９に連続するものであり得る。したがって、二重ループは、上述した曲げ特性を有する同一の材料からなる。図４〜７を参照する。ヒンジ５１の二重ループ７０は、上方フラット曲線セグメント７１を有する。上方フラット曲線セグメント７１は、上向きに伸び、扉セクション４０の本体部分５０の外面５５から上向き且つ内向きに伸びる。上方フラット曲線セグメント７１は、半円形セグメント７２に連続する。半円形セグメント７２は、軸７３を中心とする。軸７３は、好適に、扉セクション４０の厚さの実質的に中央に位置する。半円形セグメント７２は、下方フラット曲線セグメント７４に連続する。下方フラット曲線セグメント７４は、扉セクション４０の前面５５に対してほぼ逆の方向に向く。セグメント７１、７２、７４はともに、二重ループ７０の内側レッグ７５を形成する。
【００３５】
二重ループ７０は、外側レッグ７５´を有する。外側レッグ７５´は、図４に示すように、セクション型扉２４のセクション４０が実質的に平面的に並んでいるときに、内側レッグ７５と間隔があけられ、実質的に平行となっている。レッグ７５、７５´は、ヘアピン状の曲線リターン７６によって連結される。ヘアピン状の曲線リターン７６は、リターン下方フラット曲線セグメント７７に続く。リターン下方フラット曲線セグメント７７は、内側レッグ７５の下方フラット曲線セグメント７４と実質的に平行である。リターン下方フラット曲線セグメント７７は、リターン円形セグメント７８に続く。リターン円形セグメント７８は、半円形セグメント７２と、内側レッグ７５の上方フラット曲線セグメント７１の一部分と平行である。二重ループ７０の外側レッグ７５´は、角度的に上向きに配置されるロッキングタブ７９で終わる。ロッキングタブ７９は、扉セクション４０の低部の前面５５の一部分に沿って配置され、後述する方法で保持される。
【００３６】
扉２４のセクション４０は、クラッド８０を有する。クラッド８０は、本体部分５０の前面５５を覆い、ヒンジ要素５１の作動部分を構成する。クラッド８０は、要素からの保護と同様に、セクション４０に剛性を与えるように作動する。クラッド８０が、所望の性能を達成するために、様々な材料からなるが、組立て式捲上扉の面材料として共通的に使用されるタイプのシート状の金属が、クラッド８０のために選択される。図３〜７及び１０を参照する。本体部分５０に用いられるクラッド８０は、実質的に平坦な前部カバー８１を有する。前部カバー８１は、本体部分５０の前面５５の上に適合される。図示のように、クラッド８０の上部エッジ及び低部エッジは、それぞれ、第一のフック部材８３及び第二のフック部材８４を有する。図２及び３に示すように、第一及び第二のフック部材８３、８４は、ほぼ半円形であり、好適に、内側レッグ７５と外側レッグ７５´とに合致する形状にある。第一及び第二のフック部材８３、８４は、それぞれ、内側及び外側レッグ７５、７５´内に収容される。特に、フック部材８３、８４は、二重ループ７０の内側及び外側レッグ７５、７５´の円形セグメント７２、７８とほぼ同一形状にある。図３及び４に示すように、セクション４０の上部にある第一のフック部材８３は、上方フラット曲線セグメント７１と内側レッグ７５の半円形セグメント７２の一部分にわたって適合し、これらに隣接する。セクション４０の低部にある第二のフック部材８４は、外側レッグ７５´の内側の円形セグメント７８と、隣接する扉セクション４０の第一のフック部材８３の外側と同一形状にある。
【００３７】
角扉セクション４０の本体部分５０へのクラッド８０の取付けは、図１０〜１４に示す方法で効率的に行える。図１０では、クラッド８０は、扉セクション４０の本体部分１５の前面５５とほぼ一直線に並べられる。図１１に示すように、第一のフック部材８３を、弾性変形可能の二重ループ７０の内側レッグ７５と外側レッグ７５´に接触させ、図１１に示すように、内側レッグ７５と外側レッグ７５´との間を分離する。図１２は、第一のフック部材８３を内側レッグ７５と外側レッグ７５´との間に受け入れるのに十分な距離だけ二重ループ７０の内側レッグ７５と外側レッグ７５´を分離したところを示す。図１３では、クラッド８０の第二のフック部材８４は、本体部分５０とほぼ一直線上に並べられ、二重ループ７０の内側レッグ７５と外側レッグ７５´は、図１０に示すような変形していない通常の位置に戻る。ただし、第一のフック部材８３は、レッグ７５、７５´の間に挿入される。その後、第二のフック部材８４は、図１３に示されるように、通常の位置から一時的に下向きに、ランド６８へと乗り越えるに十分な距離だけ変形される。このとき、クラッド８０の前面カバー８１を、本体部分５０の前面５５に係合させ、図１４に示すように、第二のフック部材８４をランド６８の位置へ嵌め込む。
【００３８】
クラッド８０が本体部分５０に組み立てられると、パネル４０が、全体的に組み立てられ、図３に示すような連結パネルへの取付け準備がなされる。ここで、二枚のパネルの下方部の二重ループ７０は、ランド６８と第二のフック部材８４との間にスライドした外側レッグ７５´を有し、一方、ロッキングタブ７９は、クラッド８０の前面カバー８１と本体部分５０の前面５５との間に同時にスライドされる。よって、二重ループ７０を保持するクラッド８０の前面８１によって抑制されるように、ロッキングタブ７９が配置されると、隣接するセクション４０が、図３に示すような連結枢軸旋回関係に維持される。
【００３９】
閉位置と開位置との間でセクション型扉２４が移動しているときの隣接するパネル４０の間のヒンジ５１の作動が図４〜７に示される。図４は、扉の開位置又は閉位置にあるときの平面の位置にある隣接するパネル４０を示す。図５から７は、垂直な誘導路部分２８と水平な誘導路部分２９とを連結する方向変更起動部分３０を通じて扉が移動するときの、隣接するパネル４０の間の角度的な変化を示し、図７に、隣接するパネル４０の間の最大の角方位（約７５〜８０°）を示す。
【００４０】
二重ループ７０とフック部材８３、８４は、図４に示すように、隣接するパネル４０が平面上にあるときに、ストレスのない通常の状態にある。扉２４の移動中に、隣接するパネル４０の間の角度が付くと、図５に示すように、ヘアピン曲線リターン７６を左上向きに移動して、ヘアピン曲線リターン７６が、軸７３に関して枢軸旋回する。パネル４０が、図６及び７に示される位置へ移動する際に、角度が徐々に増大すると、軸７３とヘアピン曲線リターン７６は、図５に示す同一の位置に残る。パネル４０の間の角度が図５の方位と図６の方位との間で増大すると、リターン下方フラット曲線セグメント７４と、外側レッグ７５´の半円形セグメント７２の一部分とが、真直ぐになろうとし、第一のフック部材８３と第二のフック部材８４との間に三日月状のギャップ８５が形成される。易曲性の二重ループ７０の材料の曲げ係数とセグメント７４、７２の長さは変形を受けるが、外側レッグ７５´の材料の曲げメモリを越えないように、十分な領域にわたってストレスを分散する。図６に示す角度から図７に示す最大の角度へと傾く際に、リターン下方フラット曲線セグメント７４と半円形セグメント７２は、真直ぐになろうとし続け、ヘアピン曲線リターン７６に関して本質的に枢軸旋回する際に比較的変形しない第二のフック部材８４が、リターン下方フラット曲線セグメント７４とリターン半円形セグメント７２との間の方向変更領域にある外側レッグ７５´の隣接する部分から分離するように、三日月状のギャップが大きくなる。図７から図４への逆向きの場合は、特に、隣接するパネル４０は、図７の最大の角度から図４の平面の形状へ進む。
【００４１】
二重ループ７０と、ヒンジ要素５１のフック部際８３、８４との厳密な寸法は、人の指を掛ける外部又は内部の危険点が作り出されないように決定されることがわかる。特に、クラッド８０のフック部材８３、８４は、隣接するパネル４０の全体的な枢軸旋回移動中に十分に近いところに残り、クラッド８０のノーズ８６と第一のフック部材８３との間の最大分離が、常に、危険防止形状のための工業規格によって特定される最大許容分離以内である。図３に示すように、クラッド８０は、これらの連結部で隣接するパネル４０のクラッド８０の同じ高さの前面を与えるようにノーズ８６を受けるために、前面カバー８１と第一のフック部材８３との間の方向変更部にオフセット８７を有し得る。オフセット８７とノーズ８６の共同的な係合は、また、扉２４の外側要素からの湿気や空気の輸送を防止するように働く。
【００４２】
扉２４のパネル４０のエンド３１を覆い、平面の外部端面を与えるため、扉２４の外面５５を覆うクラッド８０に加えて、エンドスタイル６０を備えてもよい。図８及び９に示すように、エンドスタイル６０は、扉セクション４０のエンド３１を覆うことのできるサイズのほぼＵ字形の部材である。エンドスタイル６０は、前及び後フランジ９１、９２を含む。前及び後フランジ９１、９２は、扉２４の前面５５及び後面５５´にわたって少なくとも部分的に張り出す。図８に示すように、後フランジ９２は、前フランジ９１よりも大きく内向きに張り出す。エンドスタイル６０を固定するため、後フランジ９２には、上述したように、扉２４の後面５５´のリセス５４内に適合するように設計されたタブ５６が設けられ得る。情報の隣接するセクション４０の内向きの回転を可能にするため、後フランジ９２は、前フランジ９１よりも少ない範囲だけ垂直方向上向きに張り出す（図８）。このやり方では、ギャップが、扉２４の後面５５´上の隣接するエンドスタイルの間に作り出される。言い換えると、前フランジ９１は、スタイル６０のエンド９３の長さ全体近くに張り出し、隣接するスタイルは、隣接するパネル４０が平面の方位にあるときに、扉２４の前で相互に隣接する。図８及び１６に示すように、エンドスタイル６０のエンド９３は、前及び後フランジ９１、９２の上方で上向きに張り出し、丸みのある先端を有し、隣接するエンドスタイル６０のエンド９３の下方部分に形成される丸いリセス９０´内で枢軸旋回し得る。図１６に示すように、エンドスタイル６０のエンド９３は、開口部９４とともに与えられ、後述するように、ローラ組立体９５の挿入を可能にする。扉２４の保護表面を与えることに加え、クラッド８０及びエンドスタイル６０は、扉２４の強度を高め、扉２４を安定化させる。
【００４３】
扉２４の強度をさらに高め、そのセクション４０の易曲性を低減するため、補強部材９６が、扉２４の間仕切り５２の間の空隙５３内に挿入されてもよいし、またヒンジ５２の二重ループ７０内に挿入されてもよい。図示の実施例では、補強ロッド又はチューブ９６が、ヒンジ５１の二重ループ７０内に挿入され、扉２４の実質的に全幅に伸びる。図８に示すように、補強ロッド９６は、そのいずれかの側の扉２４の幅を超えてやや伸び得る。補強部材９６は、エンドスタイル６０のエンド部材９３が補強部材８６の露出エンド９７に接触するように、エンドスタイル６０の装着前に挿入される。
【００４４】
ローラ組立体９５が、ヒンジ部材５１の二重ループ７０に挿入されてもよいし、また補強部材９６に挿入されてもよい。図９に示すように、円筒形の補強部材又はインサート９８が、セクション４０に位置され、ヒンジ５１内に位置され、ローラ組立体９５のシャフト９９を受けるようなサイズにされ得る。図示のように、インサート９８は、先細りエンド１００を有し、ヒンジ５１内へのインサート９８の配置を容易にしている。その反対側のエンドでは、インサート９８には、インサート９８のエンドから放射方向外向きに伸びる環状フランジ１０２が設けられる。このフランジ１０２は、扉セクション４０のエンド３１に隣接して配置し得る。
【００４５】
補強部材９６がローラ組立体９５を挿入するのに便利な芭蕉であるが、ローラ組立体９５は、扉２４の即部内に形成されるリセスに挿入されておもよいし、また扉セクション４０のエンド３１の間仕切り５２の間の空間に挿入されてもよいことがわかる。また、ローラ９５は、ヒンジ５１内に直接挿入されてもよい。
【００４６】
図９は、インサート９８内のヒンジ５１へのローラ組立体９５の取付けを示す。ローラ組立体９５は、ローラシャフト１０５にジャーナル軸受けしたローラ本体１０４を含む。ローラ本体１０４は、ローラホイール１０６を含む。ローラホイール１０６は、カラー１０７から放射方向外向きに拡張し、カラー１０７と一体的に形成され得る。ローラシャフト１０５に関するローラ本体１０４の軸方向の移動を抑制するため、ローラシャフト１０５には、その最外端に環状フランジ１０８が設けられ、また軸方向内向きに間隔をあけた放射状に立った環状リブ１０９が設けられ、ローラ本体１０４は、フランジ１０８とリブ１０９の突起面の間に配置する。環状リブ１０９は、また、ローラシャフト１０５を受けるインサート９８内の対応する開口よりもサイズを大きくすることによってインサート１０２内のシャフト１０５の挿入にわたって防止し得る。図９に示すように、ローラ組立体９５は、エンドスタイル６０の外側に挿入され、環状リブ１０９は、その外面外側にあり得る。図示のように、ローラシャフト１０５は、軸方向に移動可能であり、一方、ホイール１０６は、ローラ誘導路２７内でシャフト１０５に関して回転し、ローラ誘導路２７、又は誘導路２７、２７の間の空間の変更物を別々の場所にある扉２４のいずれかの側に収容する。
【００４７】
ローラ組立体９５により生じるノイズを低減するため、好適にポリマー材料からなるライナー１１０が、ローラ誘導路２７内に挿入されてもよいし、また誘導路表面の周りをさらに包み、図９に示すように扉２４のエンドスタイル６０を部分的に覆うように拡張してもよい。このやり方では、第一に、ローラホイール１０６とローラ誘導路２７との間の接触からの音が、ローラホイール１０６とローラ誘導路２７との間の接触を除き、さらに音を隔離するようにローラ組立体９５をカプセル包囲することにより減衰される。扉２４のエンドスタイル６９を重複させることにより、天候シールを与え、扉を安定化させる補助を行う一方、ライナー１１０は、さらに、扉２４の側部で指や他の外的物体の進入を防止する。
【００４８】
図９に示すように、ライナー１１０は、ローラ誘導路２７内に適合するインサート部分、ローラ誘導路２７の間の空間を架橋するカバー部分、扉２４、及びスタイル６０を重複させるシール部分を含む。第一の部分又はインサート部分１１１は、ローラ誘導路２７内に適合できるサイズにあり、ローラ１０４を受け且つローラ誘導路２７と調和させるため、実質的にＣ字形の断面を有する。図示の実施例では、金属製のローラ誘導路２７は、対称ではなく、外側誘導路フランジ１１２と内側誘導路フランジ１１３とを有する。図示のように、ローラホイール１０６が、ローラ誘導路２７のこれらフランジ１１２、１１３の間の空間よりも実質的に小さいことから、ライナー１１０には、フランジ１１２の内面１１５に接触するように、ほぼＣ字形のインサート部分１１１から外向きに張り出すスペーサ１１４が設けられる。このやり方では、Ｃ字形のインサート部分１１１は、特定のローラホイール１０６の寸法により近づく。他方、インサート１１１は、誘導路２７の表面にほぼ合致し、誘導路フランジ１１２、１１３のエンド１１６、１１７の周りを包む。
【００４９】
前及び後平面カバー部分１１８は、それぞれ、誘導路フランジ１１２、１１３から扉２４に向けて張り出し、扉２４の作動を妨害しないように、そこからの距離だけ間隔があけられる。この領域のカバーは、外的な物体が扉２４の機能を妨害することを防止し、開閉の際に、扉２４で、又は扉２４の付近で作業する人に対する危険防止を続ける。
【００５０】
垂直なシール部分１１９は、好適に、前及び後フランジ１２０、１２１を含む。前及び後フランジ１２０、１２１は、それぞれ、カバー部分１１８、１１８ダッシュから内向きに張り出し、扉２４のスタイル６０に実質的に重なる。フランジ１２０、１２１は、扉に向けて内向きに先細り、好適に、エンドスタイル６０の前面９１及び後面９２にそれぞれ接触する。前フランジ１２０は、天候シールとして主に働き、後フランジ１２１は、指シールドを続ける。
【００５１】
図１、２及び１６に示すように、ライナー１１０は、ローラ誘導路２７の垂直な誘導路部分２８の長さ全体にほぼ拡張する。しかし、後フランジ１２１は、垂直な誘導路部分２８の高さ全体に拡張せず、方向変更部分３０付近の垂直な誘導路部分２８の上部の手前で止まる。これにより、扉セクション４０が垂直な定位置から水平な開位置へと移動すると、扉セクション４０は、屈曲又は内向きに自由に移動できる。所望の場合、方向変更起動部分３０と水平な誘導路部分２９には、雑音防止の目的で、ライナー１１０のインサート部分が設けられてもよい。
【００５２】
最小の頭上クリアランスを有する環境で使用するのに用いられる扉システム２０を設計することを望む場合、枢軸旋回オペレータ１２５を使用することができる。枢軸旋回オペレータ１２５は、最終的な閉鎖を効率的に行い、扉２４のロックを行うことのできる能力を有する。このようなオペレータ１２５は、本願出願人の米国特許出願第０９／０８１４１９号（現在、米国特許第６１１２７９９号）に記載される。オペレータ１２５は、図２に示すように、輸送のため、ロック位置の状態で装備される。
【００５３】
枢軸旋回オペレータ１２５の使用例では、扉２４の上端部分４１に、在来の固定ローラに代えて、枢軸旋回炉‐ラ１３０が与えられる。枢軸旋回ローラ１３０は、上部扉セクション４１に回転可能に取り付けられるアーム１３１を有する。図１５に示すように、このローラ組立体１３０は、ミルフォードピン１３２によってクラッド８０のエンド９３に直接取り付けられ得る。アーム１３１は、このミルフォードピン１３２に関して回転する。アーム１３１は、シャフト１３３を取り付ける。ローラホイール１３４は、このシャフト１３３に関して自由に回転できるように取り付けられる。扉２４が、開位置と閉位置との間で移動すると、枢軸旋回ローラ１３のローラホイール１３４は、誘導路２７に従う。閉位置にあるとき、すなわち、扉セクション４０がほぼ垂直に配列されているとき、枢軸旋回ローラ１３０は、ローラ誘導路２７の方向変更誘導路部分３０内にあり、アーム１３１は、実質的に水平な方向又は扉セクション４０に対してほぼ垂直な方向にある。扉２４が、図１５に符号４１´で示す位置へ初期的に開き始めると、ローラ１３０のアーム１３１は、枢軸旋回し、このとき、扉セクション４１と実質的に一直線に並んだ形状にある。よって、このような長さの枢動旋回ローラ１３０のアーム１３０が配置され、ローラ１３０のシャフト１３３が、扉２４の上部の上側に配置される。
【００５４】
扉を初期的に開いているときに、一直線に並んだ位置４１´でアーム１３１の回転を確実にするため、ローラアーム１３１は、垂直方向に一直線に並んだ位置に向けてバイアスするスプリングであり得る。このため、捩れスプリング１３５が、ミルフォードピン１３２の周りにコイル巻きされ、クラッド８０のエンド９３に取り付けられる第一のレッグ１３６と、アーム１３１又はシャフト１３３の下方に固定される第二のレッグとを有する。オペレータ１２５、水平な誘導路部分２９及び扉２４は、頭上クリアランスが頭上枠材２３上に要求されないように、頭上枠材２３の上部又はこの上部の下で全て作動することがわかる。図１５に示すように、パネル４１のローラ１３４が、方向変更誘導路部分３０から、位置４１´´で示す水平な誘導路部分２９へ移動し、さらに、位置４１´´´で示すパネル４１の水平な方向に移動するとき、アーム１３１及びローラ１３４は、一直線上に並んでいる。よって、枢動旋回ローラ１３０により、上部扉セクション４１の上部は、水平な誘導路部分２９の上へ突き出すことがない。
【００５５】
扉システム２０は、本願出願人の米国特許出願第０９／０８１４１９号（現在、米国特許第６１１２７９９号）に示唆されるものを組み入れることにより、耐風特性を与えるように変更できる。なお、この文献は、参照文献として組み入れられる。このような耐風特性を実施するために取り付けられる変更型ローラの一例が、図１６及び１７に符号１４０で示される。図示のように、補強部材１４１が、ヒンジ５１の二重ループ７０内に挿入され、扉２４のパネル４０の幅の実質的に全体に張り出す。補強部材１４１は、その各エンドに近いところにある周囲溝状リブ１４２を有する（図１６及び１７を参照）。
【００５６】
補強部材１４１は、ローラ組立体１４５を受ける。ローラ組立体は、シャフト１４６とローラホイール１４７を含み、さらに、ローラ組立体９５に従った関連構造を含む。ローラ組立体１４５は、ローラシャフト１４６が、軸方向の距離だけ拡張する感情溝１４８を有する点でローラ組立体９５と相違する。
【００５７】
ローラ取付け１４０に関連して、ローラ誘導路２７の垂直な誘導路部分２８は、クラッド８０のエンド９３と平行であり且つ通常実質的に垂直であり（ただし、閉じている状態にある扉２４に乗るために、大部から上部へやや外向きに傾斜する）、上記米国特許出願第０９／０８１４１９号に従って、小さい傾斜角だけ外向きに角度を付けられている。このように角度付けした垂直な誘導路部分２８の位置は、扉２４に近い上端、扉２４から最も距離のある誘導路部分２８の最下端及び扉から比較的距離のある誘導路部分２８の中間位置を予想する。
【００５８】
リブ１４２及び溝１４８は、誘導路部分２８と相対的に配置され、各ローラ１４７は、扉が垂直な閉位置にあるときに、誘導路２８の内側レッグ１４９又は重なりライナー１１０と軸方向の圧力の係合にある。リブ１４２は、扉の開閉中に、溝１４８の内側エンド１５０から転置した溝１４８内に配置される。よって、扉２４が閉位置にあるとき、各パネル４０の間のローラ組立体１４５と補強部材は、風力や圧力が適用されていると、パネルの座九つに抗するように、緊張される。
【００５９】
本発明に従った、巻上げ式の装着されている又は装着されていないパン扉システムである。パン扉システムは、図１８に符号２２０で示される。扉システム２２０は、扉周囲の枠組２２１によって、建物や被牽引車の開閉移動のために配置され、取り付けられる。枠組２２１は、間隔をあけた一対の垂直な誘導路枠材２２２、２２２からなる。これら誘導路枠材２２２、２２２は、図１８に示すように、ほぼ平行であり、被牽引車の床やベッド（図示せず）のような支持面に関して垂直方向上向きに伸びる。垂直な誘導路枠材２２２、２２２は、間隔をあけられ、頭上枠材２２３によってこれらの垂直方向の上端付近が連結され、これにより、扉２２４を取り付けるためのほぼ逆Ｕ字形の枠組２２１が形成される。枠組２２１は、補強、建物や車両への取付け、及び扉２２４を支持し、制御する要素の取付けを容易にするため、金属、又は高強度で高剛性のある材料からなり得る。
【００６０】
頭上枠材２２３には、カウンタバランスシステム２２５が取り付けられ得る。カウンタバランスシステム２２５は、扉２２４と相互に作用して、当業者には既知の方法で、扉２２４を容易に上下移動させるものである。カウンタバランスシステム２２５は、カウンタバランスシステム２４に関連して上述しカウンタバランスシステムの特性に従うものであり得る。図１８及び１９に示すように、フラグアングル材２２６、２２６が、ローラ誘導路２２７、２２７を部分的に支持するために与えられる。ローラ誘導路２２７、２２７は、扉２２４のいずれかの側に配置される。ローラ誘導路２２７、２２７の各々は、垂直な誘導路枠材２２２、２２２に形成される実質的に垂直な誘導路部分２２８、実質的に水平な誘導路部分２２９、及びこれらの間に挿入される方向変更誘導路部分２３０を含む。扉２２４が、ローラ誘導路２２７、２２７の垂直な誘導路部分２２８、２２８に関連した図１８に示す垂直方向の閉位置から、方向変更誘導路部分２３０、２３０を通じて、図１８に示す水平な誘導路部分２２９、２２９に関連した水平方向の開位置へ移動する際に、ローラ誘導路２２７、２２７は、既知の方法で、扉２２４を支持し、扉２２４の移動を支配する。水平な誘導路部分２２９、２２９のエンドは、バックバー２３１で連結され、支持される。バックバー２３１は、扉システム２２０を収容する構造物の天井又は壁面に直接的又は間接的に取り付けられる。図１８の扉システム２２０は、扉システム２０に関して図１に示したものと同じ方法で、扉２２４に関して取り外されまた配置されるバックバー２３１と水平な誘導路部分２２９、２２９とともに輸送のためにパッケージ化され得る。
【００６１】
例示を目的として、８枚パネルのセクション型扉２２４が図１８及び１９に示される。ここで、扉の開口部の高さやこれに関連する状態に従って、これ以上又は以下のパネルをこのタイプのセクション型扉に用いてもよいことがわかる。図示のように、扉２２４は、第一又は最上部のパネル２４１、第二のパネル２４２、第三のパネル２４３、第四のパネル２４４、第五のパネル２４５、第六のパネル２４６、第七のパネル２４７、及び第八又は最下部のパネル２４８を含んだ複数のパネル又はセクション２４０を有する。パネル２４０の各々は、ほぼ同一の形状を有する。よって、一例として、単一のパネル（パネル２４５）についてのみ、詳細に説明する。
【００６２】
図２０に示すように、パン扉システム２２０のパネル２４０の各々は、主な構造部材として、化粧面２５０を有する。化粧面２５０は、前面２５１を有する。前面２５１は、本質的に平面であり、パネル２４の高さ及び幅に実質的に拡張する。化粧面２５０の前面２５１の上部及び低部は、枢軸旋回開閉組立体２５５に続く。枢軸旋回開閉組立体２５５は、化粧面２５０の上部エッジと低部エッジとに、それぞれ、第一のフック部材２５６と、第二のフック部材２５７とを含む。第一及び第二のフック部材２５６、２５７は、ほぼ半円形であり、好適に、実質的に同一の半径に形成される。パネル２４４の低部の第二のフック部材２５７は、図２０に示すように、パネル２４５の上部の第一のフック部材２５６を取り巻く。化粧面２５０は、また、パネル２４０の上部の第一のフック部材２５６と前面２５１との間にオフセット２５８を有する。パネル２４０の各々の低部で、化粧面２５０は、前面２５１と第二のフック部材２５７との間に位置した突出しノーズ２５９を有する。この関係では、扉２２４が閉位置にあるときのように、隣接するパネル２４０が平面上にあるとき、ノーズ２５９は、オフセット２５８に接触し、隣接するパネル２４０の化粧面２５０の同じ高さの前面が、これらの連結部に形成される。このようなノーズ２５９とオフセット２５８の共同的な係合は、また、外部要素から扉２２４の内部空間への湿気や空気の輸送を防止するように働く。
【００６３】
扉を通じる熱及び冷気の伝達を低減し、及び／又はノイズを低減することを望む場合には、パネル２４０に、断熱層２６０を設けてもよい。断熱層２６０は、発泡体２６１を含む。発泡体２６１は、ガレージ扉などの断熱に共通的に使用されるポリウレタンやポリスチレンの発泡材料などであり得る。利点的に、断熱層２６０は、また、金属箔又は段ボール材料からなる裏当て２６２を有してもよく、外的物体に接触した場合のダメージや過度の水分吸収から発泡体２６１を保護する働きをする。断熱層２６０は、好適に、上部エッジ２６３及び低部エッジ２６４が扉の反語から露出しないようなサイズにされる。このため、上部エッジ２６３は、図２０に示すように、交錯させた第一及び第二のフック部材２５６、２５７内に拡張する。各パネル２４０の断熱層２６０の低部エッジ２６４は、図２０に示すように、第二のフック部材２５７に対抗して楔止めされる。その低部エッジ２６４に発泡体層２６１を確実に保持するため、裏当て２６２の突出しフラップ２６５が、低部エッジ２６４の少なくとも一部にわたって拡張し、枢軸旋回開閉組立体２５５の第二のフック部材２５７に係合する。よって、断熱層２６０の上部及び低部エッジ２６３、２６４は、実質的にパネル２４０の横方向の幅全体にわたって化粧面２５０の枢軸旋回開閉組立体２５５の下へたたみ込まれる。後述するように、断熱層２６０の横方向の端部は、また、断熱層２６０の４辺全てがパネル２４０の内側に露出しないようにシールドされるように閉じ込められる。
【００６４】
パネル２４０は、枢軸旋回開閉組立体２５５によってその横方向の範囲にわたって実質的に相互に接続される。ただし、後述するように、そのエンドのヒンジ領域を除く。一方、扉２２４には、連結体要素２７０（図１８及び２０〜２４を参照）が設けられ得る。単一の連結体２７０が、その横方向の範囲の実質的に中間の隣接するパネル２４０の各々の間に示されるが、付加的な連結体要素２７０が、扉２２４の幅に従って選択される場所に使用され得ることがわかる。
【００６５】
連結要素２７０は、クリップ２７１の形態で示される。クリップ２７１は、変形可能の二重ループを有する。この二重ループは、上記の扉システム２０の二重ループ７０に類似する。クリップ２７１は、フラット曲線セグメント２７２を有する。フラット曲線セグメント２７２は、内側の半円形セグメント２７３に続く。内側の半円形セグメント２７３は、ヘアピン曲線リターン２７４によって、外側の半円形セグメント２７５に連結される。外側の半円形セグメント２７５は、図２０及び２１に示すように、隣接する扉２４０が平面上に一直線に並んだ状態にあるとき、その範囲にわたって内側の半円形セグメント２７３と実質的に等距離に配置される。内側の半円形セグメント２７３と外側の半円形セグメント２７４の両方は、枢軸２７６を中心とする。枢軸２７６は、パネル２４０に関して実質的に固定されたままである。内側の半円形セグメント２７３と外側の半円形セグメント２７４は、間隔をあけられ、作動的に並べられたときに、枢軸旋回開閉組立体２５５の第一のフック部材２５６と第二のフック部材２５７の両方を収容するような形状となっている。連結体要素２７０は、扉システム２０の本体部分５０に関連して上述したタイプの選択したシート状の金属又はポリマー材料からなり得る。
【００６６】
閉位置と開位置との間のセクション型扉２２４の移動中のパネル２４０の枢軸旋回開閉組立体２５５に関する連結体要素２７０の作動は、図２１〜２４に示される。図２１は、扉の開又は閉位置にあるときの平面位置にある隣接したパネル４０を示す。図２２〜２４は、扉が、垂直な誘導路部分２２８と水平な誘導路部分２２９を連結する方向変更誘導路部分２３０を通じて移動するときの隣接するパネル２４０の間の角度的な傾斜を示す。図２４には、小さい半径の方向変更誘導路部分２３０の隣接するパネル２４０の間の最大の角度が約７５〜８０°であることが示される。
【００６７】
連結体要素２７０と第一及び第二のフック部材２５６、２５７は、図２１に、隣接するパネル２４０の平面的な位置にあるときの通常のストレスのない状態で示される。角度が、扉２２４の移動中に隣接するパネル２４０の間に付けられると、ヘアピン曲線リターン２７４は、図２２〜２４に示すように、枢軸２７６に関して移動し、ヘアピン曲線リターン２７４は、左上方向に変位する。図２２の位置では、第一のフック部材２５６と第二のフック部材２５７は、オフセット２５８とノーズ２５９の近くの領域で分離し始める。一方、三日月形のギャップが、枢軸旋回開閉組立体２５５の第二のフック部材２５７とクリップ２７１の外側の半円形セグメント２７５との間に形成される。第一及び第二のフック部材２５６、２５７の分離とギャップのサイズは、パネル２４０が図２３及び２４に示される相対的な位置へ移動すると、徐々に大きくなる。扉システム２０のヒンジ５１の場合と同様に、ストレスの軽減は、クリップ２７１とフック部材２５６、２５７の十分な領域にわたって分散され、材料は、それらの曲げメモリを越えて変形せず、これにより、図２４の位置から図２１への扉の戻りは、パネル２４０の枢軸旋回開閉組立体２５５と連結体要素２７０の元々の形状に復元する。
【００６８】
扉システム２０の場合と同様に、扉システム２２０は、人の指を掛ける外部又は内部の危険点が作り出されないような形状の枢軸旋回開閉組立体２５５と連結体要素２７０を有する。特に、枢軸旋回開閉組立体２５５の第一及び第二のフック部材２５６、２５７は、隣接するパネル２４０の全体的な枢軸旋回移動中に、十分に近づいており、ノーズ２５９と第一のフック部材２５６との間の最大分離は、常に、危険防止形状の工業規格によって特定される最大許容分離以下である。よって、その長さにわたる枢軸旋回開閉組立体２５５は、危険防止計上を与える。さらに、枢軸旋回開閉組立体２５５の構成成分の移動が枢軸２７６に関して、又はフック部材２５６、２５７の分離によって、実質的に旋回することから、連結体要素２７０は、作動中に、後述するようにパネルヒンジの枢軸に関して枢軸旋回開閉組立体２５５の枢軸２７６を安定化し、且つ扉２２４の組立体の補助をするように機能する。
【００６９】
パネル２４０の化粧面２５０のエンドは、エンドスタイル２８０内に入れられる。図２５〜２９及び図３３に示すように、エンドスタイル２８０は、パネル２４０の化粧面２５０の枢軸旋回開閉組立体２５５と前面２５１を受けることができるように工夫されたほぼＵ字形の部材である。エンドスタイル２８０は、平面のエンド２８１によって形成される。この平面のエンド２８１は、間隔を空けられ、前フランジ２８２と後フランジ２８３を連結する。図２８に示すように、前フランジ２８２が後フランジ２８３よりも小さい横方向の範囲にあるが、前フランジ２８２は、化粧面２５０の前面２５１を範囲（図３３）に横方向に重ねない。後フランジ２８３は、強度及び明らかになる他の機能のため、前フランジ２８２よりも広い範囲にパネル２４０の内側に張り出し得る。平面のエンド２８１から変位した後フランジ２８３の横方向の内側の範囲は、フラップ２８４を有する。フラップ２８４は、補強部材のように働き、断熱パネル２４０の場合、図２８に示すように、断熱層６０の横方向の端部に重なる。よって、前述したように、断熱層２６０の横方向の端部に重なるフラップ２８４は、パネル２４０の内向きに露出する断熱層２６０の４辺全ての保持とシールドを完全にする。フラップ２８４が、約１０〜１５°の角度を通じて後フランジ２８３から内向きに傾斜するように図示されるが、このフラップ２８４の形状は、また、断熱型でないパネル２４０とともに使用され得ることがわかる。変形的に、フラップ２８４は、約９０°の角度を通じて内向きに向けられ、エンドスタイル２８０の場所でパネル２４０の強度をさらに高くし得る。
【００７０】
隣接するパネル２４０の間の枢軸旋回的な相互連結は、ヒンジ組立体２９０によって主になされる。ヒンジ組立体２９０は、エンドスタイル２８０に位置される。その主要構造部材は、エンドスタイル２８０から形成される。エンドスタイル２８０の各々の低部には、下方ヒンジピンレシーバ２９１がある。下方ヒンジピンレシーバ２９１は、エンドスタイル２８０のエンド２８１の平面の張出部２９２のように形成される。図２６に示すように、平面の張出部２９２は、好適に、エンドスタイル２８０の前フランジ２８３の下にある距離だけ張り出したものであり、エンドスタイル２８０のエンド２８１と一直線に並ぶヒンジピンレシーブボア２９３を有する。ヒンジ組立体２９０は、エンドスタイル２８０の上端に、上方ヒンジピンレシーバ２９５を有する。上方ヒンジピンレシーバ２９５は、扉２２４が組み立てられるときに、下方ヒンジピンレシーバ２９１に関して共同的に配置される。上方ヒンジピンレシーバ２９５は、エンドスタイル２８０の後フランジ２８３の延長部として形成されるように図示され、エンドスタイル２８０の前フランジ２８２に向けて伸びる突出しレッグ２９６を含む。図示のように、突出しレッグ２９６は、平面のエンド２８１内に横たわり、前フランジ２８２と後フランジ２８３の両方と実質的に垂直であり、後フランジ２８３から伸びて前フランジ２８２に接触する。前フランジ２８２に隣接する突出しレッグ２９６の端部は、折返部２９７を有する。折返部２９７は、スタンドオフレッグ２９８に続く。スタンドオフレッグ２９８は、突出しレッグ２９７に関して鋭角に配列され、エンドスタイル２８０の後フランジ２８３に向けて戻るように、突出しレッグ２９６の外向きに向けられる。スタンドオフレッグ２９８は、実質的に円筒形のヒンジピンレシーブスリーブ２９９に続く。ヒンジピンレシーブスリーブ２９９は、突出しレッグ２９６からオフセットされ、好適に、エンドスタイル２８０の前フランジ２８２と後フランジ２８３との間の実質的に中央に位置される。
【００７１】
パネル２４０の下方エッジは、また、弓形フランジ３００を有する。弓形フランジ３００は、ヒンジ組立体２９０に含まれる。図２７、２８及び３３に示すように、弓形フランジ３００は、エンドスタイル２８０の後フランジ２８３の低部の延長部であり、前フランジ２８２と後フランジ２８３との間の約１／２の距離だけ、後フランジ２８３から上方内向きに突き出す。図示のように、弓形フランジ３００は、ヒンジピンレシーブボア２９３と実質的に平行となるように、実質的に、やや大きめの半径のヒンジピンレシーブボア２９３の中心付近に中心を有する円の一部分であり得る。弓形フランジ２９３は、好適に、エンドスタイル２８０の後フランジ２８３の全体的な横方向の範囲にわたる。
【００７２】
ヒンジ組立体２９０の下方ヒンジピンレシーバ２９１と上方ヒンジピンレシーバ２９５のヒンジ連結は、ローラ組立体３０５によって行われる。図２５、２９及び３２に示すように、ローラ組立体３０５は、上記のローラ組立体９５に類似する。ローラ組立体３０５は、ローラシャフト３０７にジャーナル軸受けしたローラ本体３０６を含む。ローラ本体３０６は、ローラホイール３０８を含む。ローラホイール３０８は、カラー３０９から放射方向外向きに伸び、カラー３０９に一体的に形成され得る（図３２）。ローラシャフト３０７に関するローラ本体３０６の軸方向の移動を抑制するため、ローラシャフト３０７には、その最外端に環状フランジ３１０が設けられ、さらに径方向に突き出した環状リブ３１１が設けられる。ローラ本体３０６は、フランジ３１０とリブ３１１との突出し面の間に収まる。
【００７３】
図２５、２９及び３２に示すように、ローラシャフト３０７は、円筒形のヒンジピンレシーブスリーブ２９９を通気手、下方ヒンジピンレシーバ２９１のレシーブボア２９３に挿入され、これにより、ローラシャフト３０７は、ヒンジ組立体２９０のヒンジピンとして働く。環状リブ３１１は、また、ヒンジピンレシーブボア２９３よりも大きいサイズにすることにより、下方ヒンジピンレシーバ２９１内のローラシャフト３０７の挿入を阻止する。ローラシャフト３０７は、ローラ本体３０６と反対側のローラシャフト３０７のエンド付近に第二又は内向きの環状リブ３１２を有する。図示のように、環状リブ３１１と第二の環状リブ３１２は、ローラシャフト３０７上に十分な距離だけ感覚をあけられ、ローラシャフト３０７は、ローラ誘導路２７に変更物を収容するのに必要な範囲に対してスリーブ２９９内を軸方向に移動でき、また異なった場所の扉２４のいずれかの側へ誘導路２７、２７の間に対して間隔をあける。
【００７４】
ローラ組立体３０５は、用意に組み立てられ、シャフトは、第二の環状リブ３１２よりも大きいサイズのピンレシーブボア２９３を通じて挿入される。円筒形のスリーブ２９９が連続的に一体となった部分でないことから、スプリングのように開いて、第二の環状リブ３１２を受け、一旦、第二の環状リブ３１２が図２９に示す組立て位置にスリーブ２９９の内向きに伸びると、その元々の形状に戻る。ローラシャフト３０７の退却は、円筒形スリーブ２９９の横方向内向きのエッジに係合する第二の環状リブ３１２によって妨げられる。第二の環状リブ３１２は、外向きに突き出したタブ、又はローラシャフト３０７の周囲付近の一つ股がそれ以上の間隔を空けた周囲に配置されるローラシャフト３０７の打抜きであってもよく、円筒形スリーブ２９９へのシャフト３０７の挿入を同様に許し、一方、風を防ぐために扉の閉位置で緊張させるタイプを与える上記したやり方で、そこからの退却を手間取らせることがわかる。
【００７５】
図１８、１９及び３３を参照する。垂直な誘導路部分２８に、ライナー３１５が与えられる。ライナー３１５は、上記したライナー１１０と同様であり得る。ライナー３１５は、同様に、ローラ組立体９５によって発生されるノイズを低減し、パネル２２４のエンドに重ねるために、ポリマー材料からなり得る。よって、ライナー３１５は、天候シール、扉ストップ及び扉２２４を安定化させる補助を与えるとともに、扉２２４の側の指及び外的物体の進入を防ぐように働く。図３２に示すように、ライナー３１５は、ローラ誘導路２２７内に適合するとともに、ローラホイール３０８を受ける実質的にＣ字形の断面を有し、ローラ誘導路２７内に適合できるサイズのインサート部分を含む。ローラ誘導路２２７は、外側誘導路フランジ３１７と内側誘導路フランジ３１８とを有する。ライナー３１５は、前カバー部分３１９と後カバー部分３２０とを有し、これらは、インサート部分３１６から扉２２４に向けて伸び、扉２２４の作動を妨げないように、そこからある距離だけ間隔をあけられている。上記したように、この領域のカバーは、扉２２４の機能を妨げる外的物体を防止し、開閉中に、扉２２４で、又は扉２２４付近で作業している人に対する危険を防止する。ライナー３１５は、ライナー１１０と相違し、外側誘導路フランジは、エンドスタイル２８０の前フランジ２８２に重なるように伸び、扉ストップ３２１を形成する。図３２に示すように、前カバー部分３１９は、ストップ３２１の周りに伸び、平面のストップ面３２２を形成する。ストップ面３２２は、扉が閉位置にあるとき、扉パネル２４０と、特にエンドスタイル２８０の前フランジ２８２に係合するように適合される。
【００７６】
ライナー３１５は、好適に、前フランジ３２３と後フランジ３２４とを含む。前及び後フランジ３２３、３２４は、それぞれ、前カバー部分３１９と後カバー部分３２０から横方向内向きに伸び、パネル２４０に重なる。フランジ３２３、３２４は、扉に向けて内向きに先細り、前フランジ３２３は、好適に、パネル２４の化粧面２５１に接触する。前フランジ３２３は、主に、天候シールとして働き、後フランジ３２４は、エンドスタイル２８０の平面のエンド２８１とローラ誘導路２２７との間の指シールドを構成する。ライナー１１０の場合と同様に、ライナー３１５は、ローラ誘導路２２７の垂直な誘導路部分２２８の長さだけ伸びる。後フランジ３２４は、図２２に示すように、方向変更部分３３０付近の垂直な誘導路部分２８の上部の短いところで終わり、方向変更誘導路部分２３０への扉の移動を許す。所望の場合、方向変更誘導路部分２３０と水平な誘導路部分２２９は、ノイズを低減する目的で、ライナー３１５のインサート部分３１６を有してもよい。
【００７７】
扉システム２０と同様に、扉システム２２０は、枢軸旋回オペレータ３２５を使用し得る（図１８）。扉システム２０に関連して説明したように、枢軸旋回オペレータ３２５は、扉２２４を最終的に閉じ、ロックすることのできる能力を有する。
【００７８】
枢軸旋回オペレータ３２５の使用例では、扉２２４の最上端部分２４１に、在来の固定ローラに代えて、枢軸旋回ローラ３３０が与えられ得る。図１９に示すように、枢軸旋回ローラ３３０は、支持アーム３３１を有する。支持アーム３３１は、取付けレッグ３３２とローラ取付けレッグ３３３を有するほぼＵ字形の部材であり得る。取付けレッグは、エンドスタイル２８０の後フランジ２８３又はその上に配置される補強プレート３３４に対して乗せるように適合される。取付けレッグ３３２は、一つ又はそれ以上のシート状の金属スクリュー又は他の適当なファスナーによってパネル２４１上の所定の位置に固定される。ローラ取付けレッグ３３３は、円筒形スリーブ３３６を担持する。円筒形スリーブ３３６は、ローラ取付けレッグ３３３に一体的に形成され、上方ヒンジピンレシーバ２９５の円筒形のヒンジピンレシーブスリーブ２９９と同様の形状にあり得る。このやり方では、スリーブ３３６は、ローラ組立体３３７を受け得る。ローラ組立体３３７は、ヒンジ組立体２９０のローラ組立体３０５と同一のやり方で配置され得る。枢軸旋回ローラ３３０は、好適に、比較的薄い金属又はプラスチック材料からなる支持アーム３３１を有し、屈曲領域３３８の易曲性を許す。屈曲領域３３８は、取付けレッグ３３２とローラ取付けレッグ３３３を連結する。屈曲領域３３８に必要な易曲性は、支持アーム３３１に用いられる比較的薄い材料によって達成され、ローラ取付けレッグ３３３には、補強隆起３３９が設けられ得る。
【００７９】
図１９に、扉２２４が完全に閉まった位置にあり、枢軸旋回ローラ３３０にストレスがかかった状態を示す。このような例では、ローラ組立体３３７及びローラ取付けレッグ３３３は、上部パネル２４１に係合し、力をかける枢軸旋回オペレータ３２５によって、通常の位置から閉位置へと外向きに角度的に変位されている。一旦、扉が開き始めると、支持アーム３３１は、その初期的な形状に戻り、円筒形スリーブ３３６がスタイル２８０と係合し、よって、図１９の破線３３０´弟子雌ように、上部パネル２４１と実質的に一直線に並ぶ。円筒形スリーブ３３６とローラ組立体３３７は、水平な誘導路部分２２９で枢軸旋回ローラ３３０が移動している間、上部パネル２４１に接近しており、扉２４１の上部は、水平な誘導路部分２２９と本質的に一直線上に並んだままであり、低い頭上環境での扉システム２２０の装着を許す。
【００８０】
扉２２４の下方コーナーには、ローラ組立体とケーブル固定デバイスとを組み合わせた組合せローラ組立体及びケーブル固定デバイス３４５が与えられ得る。図３０及び３１を参照する。組合せローラ組立体及びケーブル固定デバイス３４５は、ローラ組立体３４６を含む。ローラ組立体３４６は、ローラ組立体３０５と同一の構成を有し得る。特に、ローラ組立体３０５は、ローラ本体３４７、ローラシャフト３４８及び上記した構造物を含む。ローラシャフト３４８は、エンドスタイル２８０の平面のエンド２８１のアパーチャ３４９に挿入される。組合せローラ組立体及びケーブル固定デバイス３４５は、また、ローラ本体３４７と、エンドスタイル２８０のエンド２８１との間に挿入されるケーブルブラケット３５０を含む。
【００８１】
ケーブルブラケット３５０は、ほぼ円筒形のカラー３５１を有する。カラー３５１は、ローラシャフト３４８を受けるが、好適に、扉２２４の作動中にそこから間隔をあかたままとなるように、十分に大きい内径３５２にある。ケーブルブラケット３５０は、スクリュー３５４又は他の適当なファスナーによってエンドスタイル２８０のエンド２８１に取り付けられるカラー３５１から放射方向に伸びる長い突出し部３５３を有する。カラー３５１は、また、溝３５５を有する。溝３５５は、標準的なケーブルＣを受けるように適合される。ケーブルＣは、ループＣ´を形成するようにカラー３５１付近に通される一端を有し、ケーブルクランプ３５６及びカウンタバランスシステム２２５に作動的に関連する多端によって固定される。よって、ケーブルＣのループＣ´は、最適な位置で扉２２４に取り付けられ、一方、その位置がカウンタバランスシステム２２５に関連して変化すると、ケーブルブラケット３５０の溝３５５に関してケーブルの角度的ない動を許す。カウンタバランスシステム２２５によって発生されるケーブルＣの緊張は、ローラ組立体３４６のローラ本体３４７又はローラシャフト３４８へ力を与えることなく、扉２２４に伝えられる。
【００８２】
よって、ここに開示される巻上げ式のセクション型扉は、上記した本発明の目的の一つ又はそれ以上を実施し、従来技術へ利点的に寄与する構成にある。当業者にはわかるように、変更物が、本発明の精神から逸脱せずに、ここに開示される好適実施例でなされ得る。本発明の範囲は、添付の特許請求の範囲によってのみ限定される。
【図面の簡単な説明】
【図１】
図１は、本発明に従った巻上げ式セクション型扉の斜視図であり、誘導路システムと、予め緊張されたカウンタバランスシステムと、オペレータとを含むセクション型のユニットとして輸送するためにパッケージ化したものを示す。
【図２】
図２は、図１に従った扉の斜視図であり、作動位置にある、バックバーで架橋した水平な誘導路を装着したところを示す。
【図３】
図３は、図２の３−３線部分側面断面図であり、波形の扉セクションと金属製のクラッドとを含む扉のセクションの一つを示す。
【図４】
図４は、図３と同様の部分側面断面図であり、扉ヒンジを示し、隣接する扉セクションが、他のものに関して回転し、扉が誘導路の方向変更部分を通じて移動するときの枢軸旋回点の移動を示す。
【図５】
図５は、図３と同様の部分側面断面図であり、扉ヒンジを示し、隣接する扉セクションが、他のものに関して回転し、扉が誘導路の方向変更部分を通じて移動するときの枢軸旋回点の移動を示す。
【図６】
図６は、図３と同様の部分側面断面図であり、扉ヒンジを示し、隣接する扉セクションが、他のものに関して回転し、扉が誘導路の方向変更部分を通じて移動するときの枢軸旋回点の移動を示す。
【図７】
図７は、図３と同様の部分側面断面図であり、扉ヒンジを示し、隣接する扉セクションが、他のものに関して回転し、扉が誘導路の方向変更部分を通じて移動するときの枢軸旋回点の移動を示す。
【図８】
図８は、エンドスタイルとローラを扉の本体部分に装着したところを示す部分破断斜視図である。
【図９】
図９は、図２の６−６線断面図であり、ローラ誘導路、エンドスタイル、扉の堅枠及び誘導路ライナーの関係を示す。
【図１０】
図１０は、金属製のクラッドを扉の本体部分に取り付ける一連の工程を示す側面図である。
【図１１】
図１１は、金属製のクラッドを扉の本体部分に取り付ける一連の工程を示す側面図である。
【図１２】
図１２は、金属製のクラッドを扉の本体部分に取り付ける一連の工程を示す側面図である。
【図１３】
図１３は、金属製のクラッドを扉の本体部分に取り付ける一連の工程を示す側面図である。
【図１４】
図１４は、金属製のクラッドを扉の本体部分に取り付ける一連の工程を示す側面図である。
【図１５】
図１５は、扉の上部パネルの移動を示す部分側面図であり、扉の閉位置、扉の開位置及び中間の位置におけるスプリング式回転ローラアームを示す。
【図１６】
図１６は、耐風性の変形的ローら組立体を示す分解上部背面図である。
【図１７】
図１７は、図１６の１０−１０線断面図であり、変形的なローラ組立体と、補強部材及び垂直な誘導路部分との関係を示す。
【図１８】
図１８は、本発明の巻上げ式セクション型扉の変形的なパン扉の斜視図であり、バックバーで架橋され、作動位置にある水平な誘導路を装着したところを示す。
【図１９】
図１９は、図１８の扉の上方コーナーの斜視図であり、扉の上部付近に取り付けられる枢軸旋回ローラ組立体を示す。
【図２０】
図２０は、連結体クリップの場所にある上部及び下部枢軸旋回開閉組立体を通じる図１８の１３−１３線断面図である。
【図２１】
図２１は、図２０に同様の側面図であり、扉が誘導路の方向変更部分を通じて移動し、隣接するパネルが他のものと相対的に回転するときのパネルの間の枢軸旋回開閉及び連結体クリップの位置を示す。
【図２２】
図２２は、図２０に同様の側面図であり、扉が誘導路の方向変更部分を通じて移動し、隣接するパネルが他のものと相対的に回転するときのパネルの間の枢軸旋回開閉及び連結体クリップの位置を示す。
【図２３】
図２３は、図２０に同様の側面図であり、扉が誘導路の方向変更部分を通じて移動し、隣接するパネルが他のものと相対的に回転するときのパネルの間の枢軸旋回開閉及び連結体クリップの位置を示す。
【図２４】
図２４は、図２０に同様の側面図であり、扉が誘導路の方向変更部分を通じて移動し、隣接するパネルが他のものと相対的に回転するときのパネルの間の枢軸旋回開閉及び連結体クリップの位置を示す。
【図２５】
図２５は、複数の隣接するパネルの分解斜視図であり、エンドスタイル上のパネルの間に取り付けたローラ組立体を示す。
【図２６】
図２６は、図１８の扉のエンドスタイルの背面斜視図であり、上部及び低部ヒンジ要素を示す。
【図２７】
図２７は、図２６のエンドスタイルの側面図であり、その詳細な構成を示す。
【図２８】
図２８は、図２６のエンドスタイルの正面斜視図であり、関連する断熱材料の位置と、その付加的な構成の詳細を示す。
【図２９】
図２９は、隣接する一対のパネルの斜視図であり、ローラ組立体の詳細と、隣接するパネルのヒンジ要素との関係を示す。
【図３０】
図３０は、図１８の扉の低部及び後部コーナーの斜視図であり、カウンタバラナスケーブルを固定するための組合せ誘導路係合ローラ組立体及び関連するケーブルブラケットを示す。
【図３１】
図３１は、低部パネルローラ及びケーブルブラケットの図３０の２１−２１線断面図である。
【図３２】
図３２は、垂直な誘導路、ローラ組立体及び扉パネルの一部を通じる図１８の２２−２２線断面図である。
【図３３】
図３３は、図１８の２３−２３線断面図であり、エンドスタイルと、クラッド又はヒンジ領域の化粧面材料との間の関係を示す。
【図１】
2004513274.tif 000003
【図２】
2004513274.tif 000004
【図３】
2004513274.tif 000005
【図４】
2004513274.tif 000006
【図５】
2004513274.tif 000007
【図６】
2004513274.tif 000008
【図７】
2004513274.tif 000009
【図８】
2004513274.tif 000010
【図９】
2004513274.tif 000011
【図１０】
2004513274.tif 000012
【図１１】
2004513274.tif 000013
【図１２】
2004513274.tif 000014
【図１３】
2004513274.tif 000015
【図１４】
2004513274.tif 000016
【図１５】
2004513274.tif 000017
【図１６】
2004513274.tif 000018
【図１７】
2004513274.tif 000019
【図１８】
2004513274.tif 000020
【図１９】
2004513274.tif 000021
【図２０】
2004513274.tif 000022
【図２１】
2004513274.tif 000023
【図２２】
2004513274.tif 000024
【図２３】
2004513274.tif 000025
【図２４】
2004513274.tif 000026
【図２５】
2004513274.tif 000027
【図２６】
2004513274.tif 000028
【図２７】
2004513274.tif 000029
【図２８】
2004513274.tif 000030
【図２９】
2004513274.tif 000031
【図３０】
2004513274.tif 000032
【図３１】
2004513274.tif 000033
【図３２】
2004513274.tif 000034
【図３３】
2004513274.tif 000035
【国際公開パンフレット】
2004513274.tif 000036
2004513274.tif 000037
2004513274.tif 000038
2004513274.tif 000039
2004513274.tif 000040
2004513274.tif 000041
2004513274.tif 000042
2004513274.tif 000043
2004513274.tif 000044
2004513274.tif 000045
2004513274.tif 000046
2004513274.tif 000047
2004513274.tif 000048
2004513274.tif 000049
2004513274.tif 000050
2004513274.tif 000051
2004513274.tif 000052
2004513274.tif 000053
2004513274.tif 000054
2004513274.tif 000055
2004513274.tif 000056
2004513274.tif 000057
2004513274.tif 000058
2004513274.tif 000059
2004513274.tif 000060
2004513274.tif 000061
2004513274.tif 000062
2004513274.tif 000063
2004513274.tif 000064
2004513274.tif 000065
2004513274.tif 000066
2004513274.tif 000067
2004513274.tif 000068
2004513274.tif 000069
2004513274.tif 000070
2004513274.tif 000071
2004513274.tif 000072
2004513274.tif 000073
2004513274.tif 000074
2004513274.tif 000075
2004513274.tif 000076
2004513274.tif 000077
2004513274.tif 000078
2004513274.tif 000079
2004513274.tif 000080
2004513274.tif 000081
2004513274.tif 000082
2004513274.tif 000083
2004513274.tif 000084
2004513274.tif 000085
2004513274.tif 000086
2004513274.tif 000087
2004513274.tif 000088
2004513274.tif 000089
2004513274.tif 000090
2004513274.tif 000091
2004513274.tif 000092
2004513274.tif 000093
2004513274.tif 000094
2004513274.tif 000095
2004513274.tif 000096
2004513274.tif 000097
2004513274.tif 000098
2004513274.tif 000099
2004513274.tif 000100
2004513274.tif 000101
2004513274.tif 000102
2004513274.tif 000103
【国際公開パンフレット（コレクトバージョン）】
2004513274.tif 000104
【国際調査報告】
2004513274.tif 000105
2004513274.tif 000106
2004513274.tif 000107
2004513274.tif 000108
2004513274.tif 000109
2004513274.tif 000110